(57)【要約】【課題】顧客が直接飲用孔に口をつけて飲用する場合にも飲み難さを改善することができ、且つ重ねて積載された蓋体を分離する際の作業を改善することができる飲料容器を提供する。【解決手段】飲料を収納するカップ本体１と、カップ本体１に取り付けた際に該カップ本体の上端面よりも上方に膨出した膨出部１３を有する蓋体１０と、からなる飲料容器Ａであって、蓋体１０に於ける膨出部１３の側面１３ａに蓋体１０の中心に向けて凹んだ凹部１４を形成し、底面１４ａに飲用孔１５を形成する。【選択図】    図１
0003140173.tif 000002
【実用新案登録請求の範囲】
【請求項１】
飲料を収納するカップ本体と、前記カップ本体に取り付けた際に該カップ本体の上端面よりも上方に膨出した膨出部を有する蓋体と、からなる飲料容器であって、
蓋体に於ける膨出部の周縁に該蓋体の中心に向けて凹んだ凹部を形成し、該凹部の底面に飲用孔を形成したことを特徴とする飲料容器。
【請求項２】
前記凹部に底面から上方に向けて飲料を導入する隆起部を設け、該隆起部に飲用孔を形成したことを特徴とする請求項１に記載した飲料容器。
【請求項３】
前記蓋体の天面に、重ねて積載した蓋体から１枚の蓋体を分離する際に分離を容易にするための分離凹部を設けたことを特徴とする請求項１又は２に記載した飲料容器。
【考案の詳細な説明】
【技術分野】
【０００１】
本考案は、飲料容器に関し、特に、カップ本体に収納された飲料を直接口から飲用する際に有利な飲料容器に関するものである。
【背景技術】
【０００２】
コーヒー飲料や清涼飲料のテイクアウト用容器として、飲料を収納するカップ本体と、このカップ本体の上端部に嵌め込まれる蓋体と、からなる飲料容器を用いるのが一般的である。この飲料容器では、蓋体の中央部分に、該蓋体をカップ本体の上端部分に装着したとき、カップ本体の上端面よりも上方に膨出した膨出部を有している。
【０００３】
蓋体に形成された膨出部は上端面が平坦な天面として形成され、この天面の周縁よりに顧客が口をつけてカップ本体に収納された飲料を飲用する飲用孔が形成されている。また天面における飲用孔を形成した平坦面以外の部位にはストローを差し込む差込孔が形成されている。従って、顧客は差込孔に差し込んだストローを利用して、或いは飲用孔から直接、カップ本体に収納した飲料を飲用することが可能である。
【０００４】
またカップ本体及び蓋体は夫々複数枚を重ねて積載した状態で運搬されて容器メーカーから飲料店に納品される。そして飲料店では顧客の注文に応じて重ねて積載されたカップ本体および蓋体を分離し、カップ本体に飲料を充填した後、蓋体を装着して販売されるのが一般的である。
【考案の開示】
【考案が解決しようとする課題】
【０００５】
上記した従来の飲料容器では、飲用孔が蓋体に形成した膨出部の天面にあるため、顧客がこの飲用孔に直接口をつけて飲用しようとしたときに飲みにくいという問題がある。すなわち、飲用孔が蓋体の最も高い位置で且つ平坦な面にあるため、この飲用孔に直接口をつけたときに上唇が安定せずに飲みにくくなってしまうという問題が生じている。
【０００６】
飲料店で重ねて積載されたカップ本体および蓋体を分離する際に、これらが互いにしっかりと重ね合わされていると分離し難くなり、作業性が劣ることになるという問題がある。特に蓋体は素材が比較的に薄いため、分離する際に慎重な作業が必要となり、より作業性が劣ることになる。
【０００７】
本考案の目的は、顧客が直接飲用孔に口をつけて飲用する場合にも飲み難さを改善することができ、且つ重ねて積載された蓋体を分離する際の作業を改善することができる飲料容器を提供することにある。
【課題を解決するための手段】
【０００８】
上記課題を解決するために本考案に係る飲料容器は、飲料を収納するカップ本体と、前記カップ本体に取り付けた際に該カップ本体の上端面よりも上方に膨出した膨出部を有する蓋体と、からなる飲料容器であって、蓋体に於ける膨出部の周縁に該蓋体の中心に向けて凹んだ凹部を形成し、該凹部の底面に飲用孔を形成したものである。
【０００９】
上記飲料容器において、凹部に底面から上方に向けて飲料を導入する隆起部を設け、該隆起部に飲用孔を形成することが好ましい。
【００１０】
また上記何れかの飲料容器において、蓋体の天面に、重ねて積載した蓋体から１枚の蓋体を分離する際に分離を容易にするための分離凹部を設けることが好ましい。
【考案の効果】
【００１１】
本考案の飲料容器では、蓋体に設けた膨出部に凹部を形成すると共に該凹部の底面に飲用孔を設けたので、顧客が飲料を飲用しようとして直接飲用孔に口をつけると、膨出部の凹部に臨む側壁が上唇に当たることとなり、安定した状態で飲用することができる。
【００１２】
また蓋体に設けた膨出部に更に凹部を形成することで、この蓋体に凹凸が形成されることとなり、複数枚の蓋体を重ねて積載したときでも隣接する蓋体の間に十分な間隙が形成されて重合を防ぐことができる。このため、重ねて積載した蓋体から１枚の蓋体を分離する作業を容易におこなうことができる。
【００１３】
また凹部に底面に飲料を導入する隆起部を設けた場合には、顧客が隆起部に形成した飲用孔に直接口をつけて飲用しようとしたとき、カップ本体に収納した飲料が円滑に飲用孔に導かれ、安定した状態で飲用することができる。
【００１４】
また蓋体の天面に分離凹部を設けた場合には、膨出部に形成した凹部と共に複雑な凹凸を形成することとなり、強固な重合を防ぐことができる。このため、重ねて積載した蓋体から１枚の蓋体を分離する作業を容易に行うことができる。
【考案を実施するための最良の形態】
【００１５】
以下、本考案に係る飲料容器の好ましい幾つかの実施例について図を用いて説明する。
【実施例１】
【００１６】
図１は第１実施例に係る飲料容器の構成を説明する斜視図である。図２は蓋体の断面図である。図１、図２に示す飲料容器Ａは、カップ本体１と、蓋体１０とによって構成されている。
【００１７】
カップ本体１はコーヒーや清涼飲料を収納するものであり、紙や合成樹脂を材料として形成されている。本考案に於いて、カップ本体１の形状や寸法は特に限定するものではなく、収納すべき飲料の性質や容量に応じて適宜設定されている。
【００１８】
蓋体１０はカップ本体１の上端部分に取り付けられて該カップ本体１を蓋すると共に、図示しないストローを用いて、或いは直接口を付けることで、カップ本体１に収納された飲料を飲用し得るように構成されている。
【００１９】
蓋体１０はカップ本体１の上端部分の平面形状と対応する平面形状を有しており、周囲にはカップ本体１の上端面と当接する平坦な縁部１１と、カップ本体１の上端外周部を嵌め込むリム部１２が形成されている。
【００２０】
蓋体１０の縁部１１の内側は上方に向けて膨出した膨出部１３が形成されており、この膨出部１３は蓋体１０の中心を中心とする同心円状に形成されている。膨出部１３の高さは特に限定するものでははなく、飲料容器Ａの全体的な意匠や、飲み易さ等を考慮して設定することが好ましい。
【００２１】
膨出部１３が蓋体１０の縁部１１よりも上方に向けて形成されることから、蓋体１０をカップ本体１の上端部に装着したとき、膨出部１３はカップ本体１よりも上方に膨出することとなる。
【００２２】
膨出部１３の周縁にはテーパ状の側面１３ａが形成されており、この側面１３ａから中心に向けて凹んだ凹部１４が形成されている。凹部１４の底面１４ａは蓋体１０の縁部１１よりも上方に形成されており、膨出部１３と凹部１４との境界面１４ｂは楕円の一部によって底面１４ａに対し略垂直に形成されている。境界面１４ｂを構成する楕円の形状は特に限定するものではなく、飲料容器Ａとしての意匠性や飲み易さ等を考慮して設定することが好ましい。
【００２３】
凹部１４の底面１４ａに飲用孔１５が形成されている。飲用孔１５は顧客が直接口をつけて飲用するためのものであり、大きさや形状は飲み易さを考慮して設定されている。また膨出部１３の天面１３ｂから凹部１４の底面１４ａまでの寸法は、顧客が飲用孔１５に直接口をつけて飲用する際に、天面１３ｂから底面１４ａまでの段差が邪魔をしない程度に設定されている。
【００２４】
膨出部１３の天面（蓋体１０の天面）１３ｂであって上記凹部１４を避けた部位に分離凹部１６が形成されている。この分離凹部１６は、複数の蓋体１０を重ねて積載したとき隣接する蓋体１０の間に間隙を形成する機能を有するものであり、この間隙を形成することによって、重ねて積載した蓋体１０から１枚の蓋体１０を分離する作業を容易に行えるようにするものである。
【００２５】
このため、分離凹部１６は平面形状が楕円形として形成されると共に、周壁１６ａが膨出部１３の天面１３ｂに対し略垂直に形成されている。また底面１６ｂは膨出部１３の側面１３ａに形成された凹部１４の底面１４ａと同じレベルに形成されている。
【００２６】
蓋体１０の膨出部１３にこのような分離凹部１６を形成することによって、複数の蓋体１０を分離凹部１６どうしを対応させて重ねたとき、隣接する分離凹部１６が互いに嵌入することがなく、強固に積載されることがない。従って、重ねて積載された複数の蓋体１から１枚の蓋体１０を分離する作業を極めて容易に行うことが可能である。
【００２７】
また、分離凹部１６が楕円形に形成されているため、複数の蓋体１０を重ねて積載したとき、隣接する蓋体１０の分離凹部１６が互いに嵌入した場合でも、分離すべき蓋体１０を回転させようとすると、回転の基準が分離凹部１６の楕円形となるため、極めて容易に分離させることが可能である。
【００２８】
また、凹部１４の底面１４ａと、分離凹部１６の底面１６ｂとが同じレベルを有するため、複数の蓋体１０を重ねて積載したとき、この積載物の寸法を必要以上に大きくすることがない。更に、凹部１４の底面１４ａが蓋体１０の縁部１１のレベルよりも高い位置にあるため、顧客が飲用孔１５から直接飲用しようとした場合でも、飲み易さを確保することが可能となる。
【００２９】
分離凹部１６の底面１６ｂにはストローを挿入する挿入孔１７が形成されている。この挿入孔１７にはフラップ１７ａが設けられており、該フラップ１７ａによって挿入孔１７を閉鎖し得るように構成されている。
【００３０】
上記挿入孔１７を分離凹部１６の底面１６ａの何れの位置に形成するかは限定するものではなく、ストローを挿入して吸引する際に安定した吸引を行える位置に設定されている。
【実施例２】
【００３１】
次に第２実施例に係る飲料容器の構成について図３により説明する。図に於いて、前述の実施例１と同一の部分及び同一の機能を有する部分には同一の符号を付して説明を省略する。
【００３２】
図３に示すように、本実施例では、第１実施例に比較して蓋体１０に形成された飲用孔１５の周辺の形状が異なっている。
【００３３】
即ち、膨出部１３のテーパ状に形成された側面１３ａから中心に向けて凹んだ凹部１９が形成されている。凹部１９の底面１９ａは蓋体１０の縁部１１と等しいレベルを有しており、凹部１９の略中央に縁部１１よりも上方に頂部２０ａを有する隆起部２０が形成されている。膨出部１３と凹部１９との境界面１９ｂは楕円の一部によって、膨出部１３の天面１３ｂに対し略垂直に形成されている。
【００３４】
隆起部２０の頂部２０ａに飲用孔１５が形成されている。特に、頂部２０ａのレベルは蓋体１０の膨出部１３に形成した分離凹部１６の底面１６ｂと等しくなるように形成されている。また隆起部２０の幅寸法は、飲用孔１５の大きさを考慮して設定されている。
【００３５】
特に、隆起部２０は顧客が飲用孔１５から直接飲料を飲用する際に、飲料容器Ｂを傾けたとき、カップ本体１に収納された飲料の流通経路となるものでもあり、収納された飲料が円滑に飲用孔１５に流れるような寸法と形状を有することが好ましい。
【００３６】
例えば、カップ本体１に収納された飲料が氷と清涼飲料との混合物であるような場合、隆起部２０の幅寸法を適宜設定することで、カップ本体１に収納された氷が飲用孔１５に入り込むことを防ぐ機能を発揮させることが可能となり有利である。
【産業上の利用可能性】
【００３７】
本考案に係る飲料容器は、コーヒーや清涼飲料の飲料容器として利用して有利である。
【図面の簡単な説明】
【００３８】
【図１】第１実施例に係る飲料容器の構成を説明する斜視図である。
【図２】蓋体の断面図である。
【図３】第２実施例に係る飲料容器の構成を説明する斜視図である。
【符号の説明】
【００３９】
Ａ、Ｂ                    飲料容器
１                        カップ本体
１０                      蓋体
１１                      縁部
１２                      リム部
１３                      膨出部
１３ａ                    側面
１３ｂ                    天面
１４                      凹部
１４ａ                    底面
１４ｂ                    境界面
１５                      飲用孔
１６                      分離凹部
１６ａ                    周壁
１６ｂ                    底面
１７                      挿入孔
１７ａ                    フラップ
１９                      凹部
１９ａ                    底面
１９ｂ                    境界面
２０                      隆起部
２０ａ                    頂部
【図１】
0003140173.tif 000003
【図２】
0003140173.tif 000004
【図３】
0003140173.tif 000005